(57)【要約】【課題】組立工程が容易であり且つ芯の引き出しが容易である多用途ケースを提供する。【解決手段】ケースの内部に備えられた化粧用または文具用芯を外部に引き出して使用するための多用途ケースは、所定の長さの筒状の第１管が外嵌された第１支持部と、前記第１支持部の両側に長手方向に垂直に立設される連結部材と、前記連結部材の上端に設けられ、外周には前記第１管より小さい外径の第２管が外嵌される第２支持部とからなるケースと、前記ケースに外嵌した第１管と第２管との間に備えられる第３管の下端に結合し、上端に備えられた芯を出没させるための芯固定具とを含んでなる。
2005524427.tif 000002
【特許請求の範囲】
【請求項１】
ケースの内部に備えられた化粧用または文具用芯を外部に引き出して使用するための多用途ケースにおいて、
所定の長さの筒状の第１管が外嵌された第１支持部と、前記第１支持部の両側に長手方向に垂直に立設される連結部材と、前記連結部材の上端に設けられ、外周には前記第１管より小さい外径の第２管が外嵌される第２支持部とからなるケースと、
前記ケースに外嵌した第１管と第２管との間に備えられる第３管の下端に結合し、上端に備えられた芯を出没させるための芯固定具とを含んでなることを特徴とする多用途ケース。
【請求項２】
前記芯固定具に備えられた第３管の外周に結合する蓋をさらに含むことを特徴とする請求項１記載の多用途ケース。
【請求項３】
前記芯固定具は、連結部材に沿って容易に上下移動を行うためにガイド溝が両側に設けられたガイド部材と、前記ガイド部材の中央に垂直に連結され、前記第２支持部の中心を貫通する垂直部材と、前記垂直部材の上端に設けられ、芯が備えられた芯支持具と結合する支持部材とを含んでなることを特徴とする請求項１記載の多用途ケース。
【請求項４】
上部蓋、中間ケース及び下端ケースを含んでなる筒状の化粧用具として用いられる多用途ケースにおいて、
案内溝が垂直に設けられ、前記案内溝の一側面に多数の固定突起を有する固定具と、
芯を固定するための上部ボディと、前記上部ボディの下方に設けられ、下端に翼を有する下部ボディとからなり、前記翼が案内溝に沿って移動するように前記固定具と結合する芯固定具と、
前記上部蓋の内側天井面に固定され、前記固定具の上端外側部と接触して気密を保つためのタッチ部を備えた上部固定キャップとを含んでなる多用途ケース。
【請求項５】
前記芯を片手でも容易に引き出させることができるように、前記中間ケースの上端部の外周面に多数のスリットを設けることを特徴とする請求項４記載の多用途ケース。
【請求項６】
前記タッチ部は、固定具と接触して密閉されるように内側に膨らんでいる形状を有し、ゴム、シリコンなどの材質から構成されることを特徴とする請求項４記載の多用途ケース。
【請求項７】
前記芯が化粧用品のリップライナー、リップスティック、スティックファンデーション及びチークカラーの芯またはこれらに用いられるブラシの中のいずれか一つであることを特徴とする請求項１又は４記載の多用途ケース。
【請求項８】
前記芯が文具用品のボールペン、クレパス、色鉛筆、刃及び錐の芯の中のいずれか一つであることを特徴とする請求項１又は４記載の多用途ケース。
【発明の詳細な説明】
【技術分野】
【０００１】
本発明は、多用途ケースに関し、さらに詳しくは、最小限の簡単な構成により、リップブラシ、チークブラシが含まれたブラシセットなどの化粧用品またはボールペン、色鉛筆、刃、錐、クレパスなどの文具用品の芯をスライド式で容易に引き出すようにする多用途ケースに関する。
【背景技術】
【０００２】
一般に、ボディの一端にブラシやアイライナーなどの芯を装着して使用し、別途のケースなしで保管用鞄に備える様々な種類の化粧用ブラシが用いられている。
【０００３】
このような化粧用ブラシには、例えば、図１に示すように、別途のケースを持っておらず、金属材からなるボディＳＣの一端に固定して使用するチークカラー、アイライナーなどのブラシ部ＢＳがある。このような多数のブラシからなるブラシセットを保管用鞄（図示せず）に備え、用途別に使用した後、保管用鞄に入れて保管する。
【０００４】
ところが、この種の化粧用ブラシは、本体ＳＣの一端に固定されたブラシ部ＢＳが外部に露出しているため個別的に携帯することが難しく、使用後にブラシ部ＢＣに付いている化粧品によって保管用鞄の内部を汚染させるうえ、他の物体と接触したブラシ部が損傷し易いため寿命が短くなるという問題点があった。
【０００５】
以下、従来の化粧用具の一つであるリップライナーの場合を一例として説明する。リップライナーは、図２に示すように、内周面に多数の直線案内溝２が設けられた上部ケース１と、一端には前記直線案内溝２に沿って移動できるように案内突部６を備え、他端には雄螺旋溝９付き固定突部７を備えた芯固定具１０３と、内周面に多数の雌螺旋溝４が設けられた下部ケース３とから構成される。
【０００６】
この際、リップライナーの芯８は前記案内突部６に垂直に差し込まれ、前記芯固定具１０３の下端に設けられた固定突部７は前記下部ケース３に挿着されることにより、前記雌螺旋溝４と雄螺旋溝９が螺合される。前記案内突部６は、前記上部ケース１の直線案内溝２と係合されて上下に直線移動する。
【０００７】
次に、このように構成されるリップライナーの作動について説明する。まず、上部ケース１を手で把持して本体１００を回転させる。この際、雄螺旋溝９付き固定突部７が前記雄螺旋溝４に沿って上昇するにつれて、芯固定具１０３が上昇する。
【０００８】
このように芯固定具１０３が上昇すると、前記芯固定具１０３の案内突部６に固定されたリップライナーの芯８は上方に上昇する。前記案内突部６と直線案内溝２との係合がなされることにより、リップライナーの芯８は直線的に移動する。
【０００９】
以上、上昇動作についてのみ説明されているが、下降動作はその逆なので、その説明は省略する。
【００１０】
前述したように、従来の化粧用具ケースの一つであるリップライナー構造は、芯固定具１０３の外側には短い螺旋突部を設け、下部ケース１３の内側には多数の螺旋溝を長く連続的に設けた。このような螺子式構造は、前記一実施例のリップライナーだけでなく、他の化粧用具または文房用具にも多く用いられている実情である。
【００１１】
ところが、このような場合の螺子式ケースの製作時には、螺旋溝をケースの内側に設けなければならないので製作が難しく、生産性が低下し、組立作業時間が長くかかるという問題点があった。
【発明の開示】
【発明が解決しようとする課題】
【００１２】
本発明は、かかる問題点を解決するために創案されたもので、その目的は、組立工程が容易であり且つ芯の引き出しが容易である多用途ケースを提供することにある。
【００１３】
本発明の他の目的は、芯が外に露出しない多用途ケースを提供することにある。
【００１４】
本発明のさらに他の目的は、化粧用品又は文具用品として広範囲に使用できる多用途ケースを提供することにある。
【課題を解決するための手段】
【００１５】
上記目的を達成するための本発明の多用途ケースは、ケースの内部に備えられた化粧用または文具用芯を外部に引き出して使用するための多用途ケースにおいて、所定の長さの筒状の第１管が外嵌された第１支持部と、前記第１支持部の両側に長手方向に垂直に立設される連結部材と、前記連結部材の上端に設けられ、外周には前記第１管より小さい外径の第２管が外嵌される第２支持部とからなるケースと、前記ケースに外嵌した第１管と第２管との間に備えられる第３管の下端に結合し、上端に備えられた芯を出没させるための芯固定具とを含んでなり、前記芯固定具は、連結部材に沿って容易に上下移動を行うためにガイド溝が両側に設けられたガイド部材と、前記ガイド部材の中央に垂直に連結され、前記第２支持部の中心を貫通する垂直部材と、前記垂直部材の上端に設けられ、芯が備えられた芯支持具と結合する支持部材とから構成されることを特徴とする。
【００１６】
また、前記芯固定具に備えられた第３管の外周に結合する蓋をさらに含むことを特徴とする。
【００１７】
また、本発明の多用途ケースは、上部蓋、中間ケース及び下端ケースを含んでなる筒状の化粧用具として用いられる多用途ケースにおいて、案内溝が垂直に設けられ、前記案内溝の一側面に多数の固定突起を有する固定具と、芯を固定するための上部ボディと、前記上部ボディの下方に設けられ、下端に翼を有する下部ボディとからなり、前記翼が案内溝に沿って移動するように前記固定具と結合する芯固定具と、前記上部蓋の内側天井面に固定され、前記固定具の上端外側部と接触して気密を保つためのタッチ部を備えた上部固定キャップとを含んでなることを特徴とする。
【００１８】
また、前記芯を片手でも容易に引き出させることができるように、前記中間ケースの上端部の外周面に多数のスリットを設けることを特徴とする。
【００１９】
また、前記タッチ部は、固定具と接触して密閉されるように内側に膨らんでいる形状を有し、ゴム、シリコンなどの材質から構成されることを特徴とする。
【００２０】
また、前記芯は化粧用品のリップライナー、リップスティック、スティックファンデーション及びチークカラーの芯またはこれらに用いられるブラシの中のいずれか一つであることを特徴とする。
【００２１】
また、前記芯は文具用品のボールペン、クレパス、色鉛筆、刃及び錐の芯の中のいずれか一つであることを特徴とする。
【発明の効果】
【００２２】
本発明の多用途ケースは、最小の構成により組立工程が簡素化され、組立不良なしで生産性は向上させるが、製造コストは低減させたという効果がある。
【００２３】
また、本発明は、芯の引き出しが容易であって使用者の便宜を図ったという効果がある。
【００２４】
また、本発明は、芯を使用しない場合に内部に隠蔽されるようにして保管する鞄などの汚染を防止し、芯が他の物体と接触しないので、芯の寿命も延長させたという効果がある。
【００２５】
また、本発明は、芯の種類のみを異にすると、化粧用品又は文具用品として広範囲に使用することができるという効果がある。
【発明を実施するための最良の形態】
【００２６】
以下、添付図面を参照して本発明の好適な実施例を詳細に説明する。
【００２７】
図３は本発明の一実施例に係る多用途ケースの分解斜視図、図４ａ、図４ｂ、図４ｃは本発明に係る多用途ケースの組み立てを示す斜視図、図５ａ、図５ｂは本発明に係る多用途ケースの作用を説明するために示す斜視図である。図６は本発明の他の実施例に係る多用途ケースを示す断面図、図７ａ、図７ｂ、図８ａ、図８ｂは本発明に係る多用途ケースの様々な形を示す側面図である。
【００２８】
本発明の多用途ケース１０は、説明便宜上、図示の如く上、下にして説明する。
【００２９】
図３を参照すると、本発明に係る多用途ケース１０は、ケース１００と、上端に芯２２６が支持されてスライド式で引き出される芯固定具２００とを含んでなる。
【００３０】
前記ケース１００の下側には第１支持部１１０が設けられ、前記第１支持部１１０の下端には段差部１１１が設けられている。前記第１支持部１１０の外周面に所定の長さの第１管が外嵌され、前記段差部１１１に第１管１０１が固定される。
【００３１】
第１支持部１１０の上面縁部の内側には、２つの連結部材１２０が一定の間隔をおいて立設されており、前記連結部材１２０の内面には、ガイド部材２１０を固定させるための係止突起１２１が一体に設けられている。
【００３２】
連結部材１２０の上端には第２支持部１３０が設けられる。前記第２支持部１３０は、第１支持部１１０に垂直に立設された２つの連結部材１２０の外側面の外径より小さい外径を有し、その外周には第２管１０２が外嵌される。
【００３３】
前記第２支持部１３０は２つの連結部材１２０と共に両分された形状であり、中心に貫通孔１３１が穿設されている。前記第２支持部１３０の貫通孔１３１は、芯固定具２００の垂直部材２２０の組み立て及び上下移動を容易にする。
【００３４】
芯固定具２００は下側にガイド部材２１０が設けられている。前記ガイド部材２１０は、前記第１支持部１１０の上方に備えられ、両側にガイド溝２１１が設けられている。前記ガイド溝２１１の外側に連結部材１２０が収容されて前記芯固定具２１０の垂直移動が可能となる。
【００３５】
前記ガイド部材２１０の両側に設けられたガイド溝２１１には、連結部材１２０の係止突起１２１に係合される係止溝２１２が凹設されている。この係止溝２１２は、上昇した芯２２６が下降しないようにする。
【００３６】
前記ガイド部材２１０は、第１支持部１１０の上面縁部の内側に垂直方向に立設された２つの連結部材１２０の外側面の外径より小さい外径を有するので、第３管２０１を外嵌する場合、連結部材１２０との干渉なしで第３管２０１を上方に上昇させることができる。
【００３７】
前記ガイド部材２１０の中央には垂直方向に垂直部材２２０が立設されている。前記垂直部材２２０の上端に支持部材２３０が設けられている。前記支持部材２３０には芯２２６の遊動を防止するための芯支持具２２５が外嵌される。
【００３８】
また、第３管２０１の外周には蓋が結合するが、蓋は使用者の要求に応じて備えられることも、備えられないこともできる。
【００３９】
本発明の多用途ケース１０と関連し、図３に示すように円筒状のものについてのみ説明したが、これに限定されず、当該分野の製造技術で容易に変形して実施することができる。例えば、断面多角形にしてもよく、楕円形にしてもよい。
【００４０】
次に、図４ａ〜図４ｃ、図５ａ及び図５ｂを参照して本発明の多用途ケース１０の組み立て方法と作用について説明する。
【００４１】
図４ａを参照すると、本発明の製造工程は、まず、第１支持部１１０の上面縁部の内側に一定の間隔で垂直に立設された２つの連結部材１２０と一体に設けられた第２支持部１３０を開いて芯固定具２００の垂直部材２２０を貫通孔１３１内に備えさせる。
【００４２】
この際、２つの連結部材１２０をガイド部材２１０のガイド溝２１１と合致するように組み立てて上下へのガイドを容易にし、上方から第１支持部１１０に第１管１０１を外嵌する。
【００４３】
また、図４ｂに示すように、前記第２支持部１３０に第２管１０２を外嵌して前記第２支持部の両分した上端が分離されることを防止すると、１次組立が完了する。
【００４４】
その後、図４ｃに示すように、ケース１００において第１、２支持部１１０、１３０にそれぞれ外嵌された第１管１０１と第２管１０２との間に、すなわち予め組み立てられたガイド部材２１０に第３管２０１を外嵌すると、組立が完了する。
【００４５】
次に、組み立てられた多用途ケース１０の作用を図５ａ及び図５ｂに基づいて詳細に説明する。
【００４６】
まず、芯固定具２００に備えられた芯２２６を引き出すために、図５ａに示したケース１００の第１管１０１を左手で把持し、右手で第３管２０１の上部を取って引き上げると、図５ｂに示すように、第３管２０１の下端に結合した芯固定具２００が第２管１０２の上方に突出し、芯固定具２００の上端に備えられた芯２２６の使用を容易にする。
【００４７】
この際、ガイド部材２１０の両側に設けられたガイド溝２１１は、連結部材１２０に沿ってガイドされ、内部の係止溝２１２が連結部材１２０の係止突起１２１に係合されることにより、使用中の上下への遊動を防止するようにした。
【００４８】
一方、芯２２６としては、芯支持具２２５の端部の形状を変形するだけで、色鉛筆、クレパス、固形糊などの軟質固形体の文具用、或いはリップブラシ、アイブラシ、チークブラシなどの化粧用のものを適用することができる。
【００４９】
図６は本発明の他の実施例に係る多用途ケース１０の断面図で、芯固定具２００に備えられた芯２２６としてボールペンの芯を用いた多用途ケースを示す。芯固定具２００の中心に芯２２６が備えられるように芯支持孔２２６ａが設けられている以外は、一実施例と同様である。
【００５０】
前記芯支持孔２２６ａは、射出成形時に金型の形のみを異にすると、容易に形成可能である。
【００５１】
本発明の多用途ケースは、このように芯支持具２２５の形のみを変えて、ボールペン、刃、錐など様々な形の文具用品としても使用することができ、ブラシなどを備えた化粧用品としても使用することができる。
【００５２】
図７ａ及び図７ｂ、図８ａ及び図８ｂは芯支持具２２５のいろいろの形に応じて様々な芯２２６が備えられた本発明の多用途ケース１０を種類別に示したもので、芯２２６の保管を容易にするために隠蔽されている状態と使用のために引き出された状態とを同時に示した。
【００５３】
本発明の多用途ケースは、このようにケース１００の内部で上下にスライドする芯固定具２００の動作に応じて芯２２６が出没するので鞄の汚染なしで保管することができ、保管中に芯２２６が他の物体に接触しないのでその寿命を延長させることができ、ブラシ、刃、錐など様々な形で使用できるようにして使用者から信頼を得るようにした。
【００５４】
図９は本発明のさらに他の多用途ケースを示す分解斜視図、図１０は図９の結合断面図、図１１は本発明の芯が引き出されたときの使用状態図である。
【００５５】
まず、本発明の多用途ケースは、断面が三角形、四角形などの多角形または楕円形などの所定の形状からなる芯６００と、上部ボディ７１８及び下部ボディ７２２からなり、前記芯が上部に差し込まれて固定されると同時に芯を上下に昇降させてケースの外部に対して芯を出没させる芯固定具７００と、前記芯固定具７００が挿嵌されるが、上下に昇降するときに案内の役割をする固定具８００と、前記固定具８００に外嵌されて片手で押し上げられるように前記芯固定具７００が固定される中間ケース５００と、前記中間ケース５００の上下部にそれぞれ外嵌される下端ケース９００及び上部蓋４００とから構成される。
【００５６】
次に、本発明の化粧用具ケースを詳細に説明する。
【００５７】
前記上部蓋４０と下端ケース９００の断面または外形が所定の形状、すなわち三角形、四角形などの多角形または楕円形等となるように構成しようとするとき、前記芯６００を所定の形状、好ましくは上部蓋、下端ケースと同一形状の三角形、四角形などの多角形または楕円形などに製造する。
【００５８】
本発明に用いられる多用途ケースの形状は、図９〜図１１に示すように、一般的な円筒状をその一例とする。
【００５９】
前述した芯固定具７００は、多数の固定孔７１６が設けられている上部ボディ７１８と、上部ボディ７１８から下方に垂直に延設され、下端部の両側方向に翼７２０が設けられる下部ボディ７２２とから構成される。
【００６０】
中間ケース５００は、円筒状をしており、その上端部の外周面には多数のスリット５１４が設けられている。このスリット５１４は、中間ケース５００を押し上げるときに滑らないようにする。
【００６１】
前記固定具８００は、前記芯固定具７００の翼が係合されて上下直線的にスライドできるように案内溝８２４が両側に設けられている。
【００６２】
前記案内溝８２４の一側面には多数の固定突起３２が設けられており、好ましくは３個〜５個が良い。これは、前記芯固定具７００が結合した状態で昇降するとき、固定突起８３２によって翼７２０が段階的に止まるようにするためのものである。
【００６３】
また、前記案内溝８２４は、従来の螺旋溝または螺旋突起に比べて、加工を迅速且つ容易に行うことができるという利点がある。
【００６４】
また、前記上部蓋４００の内側天井面には上部固定キャップ５２０が固定されるが、前記上部固定キャップ５１０の下部にはタッチ部５１２が設けられている。前記タッチ部５１２は内側に膨らんでいる形状を有し、固定具８００の外周面と接触して真空状態にする。
【００６５】
前記タッチ部５１２が固定具８００の上端部との接触により密閉させて空気と水分から遮断させることが好ましく、このように密閉されるケースは、いつも真空が保たれるので、芯を硬くならないようにし、芯の水分を保持して湿っぽくする役割をする。
【００６６】
前記タッチ部５１２は、断面の形状が半円形となるように形成するが、内側に膨らんでいる形状にすることが好ましい。ところが、これに限定されず、前記タッチ部５１２は、ケースに適した多角形、楕円形などの形状を有するようにすることも可能である。
【００６７】
前記タッチ部５１２は、ゴム材質またはシリコン材質を用いて製作することが好ましい。
【００６８】
下部固定キャップ８２８には充填孔８４０が中央に設けられており、段差部８２６が設けられている。前記段差部８２６の上方向には固定具８００が垂直に固定される。
【００６９】
このような構造の多用途ケースは、固定具８００の案内溝８２４を相当長く形成しても全く無理がないので、製作と組立の便利性が向上し、芯の引き出しを片手でも容易に行うことができるので、使用上便利である。
【００７０】
既存の化粧用具及び文具のケースは、内側の螺旋溝を長く形成しなければ芯を長く引き出させることができなかったので、螺旋溝が形成されるべきケースを長く形成し、その内側に多数の螺旋溝を長く形成することにより、化粧用具及び文具の芯を長く引き出して使用しようとしたが、このようにケースの内側に螺旋溝を長く設けることに加工上の限界があった。これに対し、本発明の多用途ケースは、スライド方式であって固定具に案内溝を容易に形成することができるため、生産性が向上する。
【００７１】
また、このような本発明の多用途ケースを上下対称として形成することは、当業者であれば誰でも容易に実施することができる。
【００７２】
また、前記芯固定具７００に固定される芯は、軟質固形体であり、様々な形のものに変えて使用できる。すなわち、文具のクレパス、固形糊または色鉛筆の芯が使用でき、リキッド製品用の芯、すなわち筆ペン、香水ペン、万年筆、アイライナー、マスカラまたはリップグロスの芯などが使用できる。
【００７３】
これは前記固定具８００の両側に案内溝を長く設けることにより可能であるためである。
【００７４】
上述したように、本発明は、好適な一実施例に限定されず、本発明の請求の範囲で請求する本発明の要旨から逸脱することなく、当該分野で通常の知識を有する者であれば、様々に変形実施が可能なのは勿論のこと、そのような変更実施は本発明の核心要素として記載された請求の範囲内に属するといえる。
【図面の簡単な説明】
【００７５】
【図１】従来の化粧用ブラシを示す側面図である。
【図２】従来の一実施例に係る多用途ケースを示す分解斜視図である。
【図３】本発明の一実施例に係る多用途ケースの分解斜視図である。
【図４ａ】本発明に係る多用途ケースの組み立てを示す斜視図である。
【図４ｂ】本発明に係る多用途ケースの組み立てを示す斜視図である。
【図４ｃ】本発明に係る多用途ケースの組み立てを示す斜視図である。
【図５ａ】本発明に係る多用途ケースの作用を説明するために示す斜視図である。
【図５ｂ】本発明に係る多用途ケースの作用を説明するために示す斜視図である。
【図６】本発明の他の実施例に係る多用途ケースを示す断面図である。
【図７ａ】本発明に係る多用途ケースの様々な形を示す側面図である。
【図７ｂ】本発明に係る多用途ケースの様々な形を示す側面図である。
【図８ａ】本発明に係る多用途ケースの様々な形を示す側面図である。
【図８ｂ】本発明に係る多用途ケースの様々な形を示す側面図である。
【図９】本発明のさらに他の実施例に係る多用途ケースを示す分解斜視図である。
【図１０】図９の結合断面図である。
【図１１】本発明の芯が引き出されたときの使用状態を示す断面図である。
【符号の説明】
【００７６】
１０    多用途ケース
１００    ケース
１０１    第１管
１０２    第２管
１１０    第１支持部
１２０    連結部材
１３０    第２支持部
２００    芯固定具
２０１    第３管
２１０    ガイド部材
２２０    垂直部材
２２６    芯支持具
２３０    支持部材
２２５    芯
４００    上部蓋
５００    中間ケース
５１０    上部固定キャップ
５１２    タッチ部
５１４    スリット
６００    芯
７００    芯固定具
７１６    固定孔
７１８    上部ボディ
７２０    翼
７２２    下部ボディ
８００    固定具
８２４    案内溝
８２６    段差部
８２８    下部固定キャップ
８３２    固定突起
９００    下端ケース
９３０    充填孔
【図１】
2005524427.tif 000003
【図２】
2005524427.tif 000004
【図３】
2005524427.tif 000005
2005524427.tif 000006
2005524427.tif 000007
2005524427.tif 000008
2005524427.tif 000009
2005524427.tif 000010
【図６】
2005524427.tif 000011
2005524427.tif 000012
2005524427.tif 000013
2005524427.tif 000014
2005524427.tif 000015
【図９】
2005524427.tif 000016
【図１０】
2005524427.tif 000017
【図１１】
2005524427.tif 000018
【国際調査報告】
2005524427.tif 000019
2005524427.tif 000020